(57)【要約】      （修正有）【課題】オーバーオール・サロペット・つなぎなどの作業服において、着衣の上着の部分を脱がずに容易（簡単）に排便などが出来るようにした男女共用と女性用の上着部とズボンの上下繋がった一体構造の物を提供する。【解決手段】オーバーオール・サロペット・つなぎなどの作業服の前面首元から股下を通り背中の首筋の位置までファスナー１を取り付け縫製した物にスライサー２，３，４，５を使用する事で前面から背面のどこの場所でも開閉できる構造とする。【選択図】図１
2018021286.tif 000002
【特許請求の範囲】
【請求項１】
従来の上着部とズボンの上下繋がった一体構造のオーバーオール・サロペット・つなぎなどの作業服の前面首元から股下を通り背中の首筋の位置までファスナーを取り付け縫製した物にスライサー１個〜４個を使用する事で前面から背面のどこの場所でも開閉できる構造で、上衣部を脱がずに容易に（簡単）排便などが出来るようにした男女共用と女性用の上着部とズボンの上下繋がった一体構造のオーバーオール・サロペット・つなぎなどの作業服の物である。
【発明の詳細な説明】
【技術分野】
【０００１】    本発明は、上着部とズボンの上下繋がった一体構造の服に関するもので有る。
【背景技術】
【０００２】    上着部とズボンの上下繋がった一体構造の服が有りオーバーオール・サロペト・つなぎなどの服は構造と機能性と使用上で問題点がある。【０００３】    上着部とズボンの上下繋がった一体構造の服が有る、オーバーオール・サロペット・つなぎなどの男女兼用の物で男性が小便をする時は股の部分のファスナーのスライサーで上下に開閉する事で用を足せるが、男性が大便をする時と女性が用をたす時は、上着部分を脱ぎ上着の部分を体の前で手繰る様にして用を足す物で、用を足す時に不便な構造で使用上に問題がある。【０００４】    上着部とズボンの上下繋がった一体構造の服が有る、オーバーオール・サロペット・つなぎなどで女性用・男女兼用の物で用を足す時は着衣の上着部分を脱ぎ上着の部分を体の前で手繰る様にして用を足すが、手繰った物の扱いが用意ではなく床に着いて汚れの原因で用を足す時に不便な構造で使用上に問題がある。【０００５】    上着部とズボンの上下繋がった一体構造の服が有る、オーバーオール・サロペット・つなぎなどで女性用・男女兼用の着用時に体調を壊し急いでトイレに駆け込み急いで上着部分を脱ぎ足すが、間に合わず悲惨な事にも成りうる不便な構造で使用上に問題点がある。【０００６】    上着部とズボンの上下繋がった一体構造の服が有る、オーバーオール・サロペットなどの一般的に女性用の衣服には用を足すための構造の物は無く着衣の上着部分を脱ぎ上着の部分を体の前で手繰る様にして用を足すが、その都度面倒な構造で使用上に問題がある。
【先行技術文献】
【特許文献】
【０００７】
【特許文献１】特開２００６−１６１２５５号公報
【発明の概要】
【発明が解決しようとする課題】
【０００８】    上着部とズボンの上下繋がった一体構造の服が有る、オーバーオール・サロペット・つなぎなどの男女兼用の物で男性が小便をする時は股の部分のファスナーのスライサーを上下に開閉する事で用を足せるが、男性が大便をする時と女性が用をたす時は、上着部分を脱ぎ上着の部分を体の前で手繰る様にして用を足すが、本発明は着衣の上着の部分を脱がずに用を足せる上着部とズボンの上下繋がった一体構造の服である。【０００９】    上着部とズボンの上下繋がった一体構造の服が有る、オーバーオール・サロペット・つなぎなどで女性用・男女兼用の物で用を足す時は着衣の上着部分を脱ぎ上着の部分を体の前で手繰る様にして用を足すが、手繰った物の扱いが用意ではなく床に着いて汚れの原因でも有り用を足す時に不便で使用上に問題が本発明は着衣の上着の部分を脱がずに用を足る上下繋がった構造の服である。【００１０】    上着部とズボンの上下繋がった一体構造の服が有る、オーバーオール・サロペット・つなぎなどで女性用・男女兼用の着用時に体調を壊し急いでトイレに駆け込み急いで上着部分を脱ぎ上着の部分を体の前で手繰る様にして用を足すが、間に合わず悲惨な事にも成りうる不便な構造、本発明は着衣の上着の部分を脱がずに用を足せる上下繋がった構造の服である。【００１１】    上着部とズボンの上下繋がった構造の服が有る、オーバーオール・サロペットなどの一般的に女性用の衣服には用を足すための構造の物は無く、用を足す時は着衣の上着部分を脱ぎ上着の部分を体の前で手繰る様にして用を足す、本発明は着衣の上着の部分を脱がないで用を足せる上下繋がった構造の服である。
【本発明の目的は】
【００１２】    上着部とズボンの上下繋がった一体構造の服が有る、オーバーオール・サロペット・つなぎなどの女性用・男女兼用の物が有る、男性が大便をする時と女性が用をたす時は、上下繋がった衣服の上着部分を脱ぎ上着の部分を体の前で手繰る様にして用を足し、手繰った物の扱いが用意ではなく床に着いて汚れの原因で不便で使用上に問題があり体調を壊し急いでトイレに駆け込み急いで上着部分を脱ぎ手間が掛かり間に合わず悲惨な事にも成りうる不便な構造、本発明は着衣の上着の部分を脱がずに用を足せる上下繋がった構造の服の提案である。
【課題を解決するための手段】
【００１３】    上着部とズボンの上下繋がった一体構造のオーバーオール・サロペット・つなぎなどの男女兼用の物で、本発明の図１で男性が小便をする時はファスナー１のスライサー２・３・４・５の１個か４個を使用しスライサーを上下に開閉する事で用を足せる、男性が大便をする時と女性が用をたす時はスライサー２・３・４・５の１個か４個を使用して、お腹の所か股下の部分を通り背後の腰上まで移動する事で、お腹の所から股下と腰上まで開放でき、臀部を出し容易に用が足せる着衣は上着の部分を脱がずに用を足せる上下繋がった構造物である。
【発明の効果】
【００１４】    上着部とズボンの上下繋がった一体構造のオーバーオール・サロペット・つなぎなどの男女兼用の物で男性が小便をする時は股の部分のファスナーのスライサーを上下に開閉する事で用を足せるが、男性が大便をする時と女性が用をたす時は、上着部分を脱ぎ上着の部分を体の前で手繰る様にして用を足すが、本発明は着衣の上着の部分を脱がずに用を足せる上下繋がった構造の服である。
【００１５】    上着部とズボンの上下繋がった一体構造のオーバーオール・サロペット・つなぎなどで女性用・男女兼用の物で用を足す時は着衣の上着部分を脱ぎ上着の部分を体の前で手繰る様にして用を足すが、手繰った物の扱いが用意ではなく床に着いて汚れの原因にも本発明は着衣の上着の部分を脱がずに用を足る上下繋がった服で着衣が床などに着かない構造の物である。
【００１６】    上着部とズボンの上下繋がった一体構造のオーバーオール・サロペット・つなぎなどで女性用・男女兼用の着用時に体調を壊し急いでトイレに駆け込み急いで上着部分を脱ぎ上着の部分を体の前で手繰る様にして用を足すが、間に合わず悲惨な事にも成りうる事も、本発明は着衣の上着の部分を脱がずに用を足せる上下繋がった構造の服である。
【００１７】    上着部とズボンの上下繋がった一構造のオーバーオール・サロペットなどの一般的に女性用の衣服には用を足すための構造の物は無く、用を足す時は着衣の上着部分を脱ぎ上着の部分を体の前で手繰る様にして用を足す、本発明は着衣の上着の部分を脱がずに用を足せる上下繋がった構造の服である。
【００１８】    本発明の目的は上衣部を脱がずにお尻部分を出し容易に用足せる物で体調が悪く緊急時でも慌てずに排便が出来、寒い時期の排便は厳しいものが有るが、本発明は着衣の上着の部分を脱がずに用を足せる上下繋がった構造の服である。
【図面の簡単な説明】
【００１９】
【図１】本発明の上下繋がった衣服の正面から見たファスナー配置図面
【図２】本発明の上下繋がった衣服の裏面から見たファスナー配置図面
【発明を実施するための形態】
【００２０】    本発明の実施の形態を図１〜２に基づいて説明する。
【００２１】    図１の上下繋がった衣服の正面の首の所から股下を通り背中の方にファスナー１とスライサー２・３・４・５使用縫製の構造の図である。
【００２２】    図２は図１の上下繋がった衣服の正面の首の所から股下を通り背中の襟首の所までファスナー１の縫製位置の図である。
【符号の説明】
【００２３】  １    ファスナー
２    スライサー１
３    スライサー２
４    スライサー３
５    スライサー４
１０    上着部とズボンの上下繋がった一体構造デザイン
【図１】
2018021286.tif 000003
【図２】
2018021286.tif 000004